(57)【要約】【課題】  粉粒体等の搬送物を搬送する際に用いられ、とりわけ複数の供給口とこれと同数以上の排出口を備えたフライトコンベヤ等のコンベヤ装置に於て、各供給口から供給された搬送物を夫々異なる排出口から別々に排出できるばかりでなく、構造が簡単化されて嵩張らない様にする。【解決手段】  ケーシング２、スプロケット３、チェーン４、フライト５、供給口６、排出口７、仕切板８とで構成し、とりわけ供給口６と排出口７をケーシング２の上部と下部に設けると共に、移動可能な仕切板８を設ける。【選択図】        図１
2010083671.tif 000002
【特許請求の範囲】
【請求項１】
左右方向に長尺なケーシングと、ケーシング内に離間して設けられて前後軸廻りに正逆回転される左右のスプロケットと、両スプロケットに掛渡されてケーシング内を回送されるチェーンと、チェーンに所定間隔毎に付設されて搬送物を搬送する適数のフライトと、ケーシングの上部に設けられて搬送物が供給される複数の供給口と、ケーシングの下部に供給口と同数以上設けられて搬送物が排出される排出口と、チェーンの上側部分と下側部分の間でケーシングの左右方向に移動可能に設けられて各供給口から供給された搬送物を隣接する複数の排出口のうちの任意の排出口から排出させる仕切板と、から構成した事を特徴とするコンベヤ装置。
【請求項２】
供給口は、ケーシングの前後端部を除いた箇所に二つ設けられていると共に、排出口は、ケーシングの前後端部を含んだ箇所に三つ設けられて居り、仕切板は、何れか一方の供給口を遮って残りの供給口と排出口を開放する第一位置と、全ての供給口と排出口を開放する第二位置とをとり得る請求項１に記載のコンベヤ装置。
【発明の詳細な説明】
【技術分野】
【０００１】
本発明は、例えば粉粒体等の搬送物を搬送する際に用いられ、とりわけ複数の供給口とこれと同数以上の排出口を備えたフライトコンベヤ等のコンベヤ装置の改良に関する。
【背景技術】
【０００２】
従来、この種のコンベヤ装置としては、例えば次の様なものが知られている。
（１）  供給口と排出口が二づつ設けられていると共に、供給口の一つがケーシングの側部に設けられ、ケーシングを上下に区分する仕切板が固定して設けられたもの（特許文献１〜５参照）。
（２）  供給口が二つで排出口が四つ設けられていると共に、供給口と排出口の各一つがケーシングの側部に設けられ、ケーシングを上下に区分する仕切板が固定して設けられていると共に、中間の二つの排出口にはこれを開閉する開閉板が設けられているもの（特許文献６参照）。
【０００３】
【特許文献１】実公昭３５−１８４５３号公報
【特許文献２】特開昭６２−２３５１１１号公報
【特許文献３】実開昭６３−１７５６１６号公報
【特許文献４】実開昭６４−５１３号公報
【特許文献５】実開平２−１０８９１９号公報
【特許文献６】実開平３−５１７１２号公報
【発明の開示】
【発明が解決しようとする課題】
【０００４】
然しながら、何れのものも、各供給口から供給された搬送物を夫々異なる排出口から別々に排出できるものの、供給口や排出口の一つがケーシングの側部に設けられていたので、構造が複雑化してとりわけ横方向に嵩張る難点があった。
【０００５】
本発明は、叙上の問題点に鑑み、これを解消する為に創案されたもので、その課題とする処は、各供給口から供給された搬送物を夫々異なる排出口から別々に排出できるばかりでなく、構造が簡単化されて嵩張らない様にしたコンベヤ装置を提供することにある。
【課題を解決するための手段】
【０００６】
本発明のコンベヤ装置は、基本的には、左右方向に長尺なケーシングと、ケーシング内に離間して設けられて前後軸廻りに正逆回転される左右のスプロケットと、両スプロケットに掛渡されてケーシング内を回送されるチェーンと、チェーンに所定間隔毎に付設されて搬送物を搬送する適数のフライトと、ケーシングの上部に設けられて搬送物が供給される複数の供給口と、ケーシングの下部に供給口と同数以上設けられて搬送物が排出される排出口と、チェーンの上側部分と下側部分の間でケーシングの左右方向に移動可能に設けられて各供給口から供給された搬送物を隣接する複数の排出口のうちの任意の排出口から排出させる仕切板と、から構成した事に特徴が存する。
【０００７】
左右のスプロケットが所定方向に回転されると、チェーン及びフライトは、所定方向に回送される。供給口から供給された搬送物は、所定方向に回送されるフライトに依り同方向に移動されて排出口から排出される。この時、スプロケットが正逆回転されると共に、仕切板が適宜移動されると、各供給口から供給された搬送物は、夫々異なる排出口から別々に排出される。
供給口と排出口は、ケーシングの上部と下部に同様に設けられているので、構造が簡単化されて嵩張る事がない。
【０００８】
供給口は、ケーシングの前後端部を除いた箇所に二つ設けられていると共に、排出口は、ケーシングの前後端部を含んだ箇所に三つ設けられて居り、仕切板は、何れか一方の供給口を遮って残りの供給口と排出口を開放する第一位置と、全ての供給口と排出口を開放する第二位置とをとり得るのが好ましい。この様にすれば、スプロケットを正逆回転させると共に、仕切板を第一位置と第二位置に切換移動させる事に依り各供給口から供給された搬送物を異なる二つの排出口から別々に排出できると共に、両供給口から供給された搬送物を何れか一つの排出口から一緒に排出できる。
【発明の効果】
【０００９】
本発明に依れば、次の様な優れた効果を奏する事ができる。
（１）  ケーシング、スプロケット、チェーン、フライト、供給口、排出口、仕切板とで構成し、とりわけ供給口と排出口をケーシングの上部と下部に設けると共に、移動可能な仕切板を設けたので、各供給口から供給された搬送物を夫々異なる排出口から別々に排出する事ができるばかりでなく、構造が簡単化されて嵩張る事がない。
（２）  供給口と排出口をケーシングの上部と下部に設けると共に、移動可能な仕切板を設けたので、各供給口から供給された搬送物を何れか一つの排出口から一緒に排出する事ができる。
（３）  供給口と排出口をケーシングの上部と下部に設けると共に、移動可能な仕切板を設けるだけであるので、既存のものへも容易に適用する事ができる。
【発明を実施するための最良の形態】
【００１０】
以下、本発明の実施の形態を、図面に基づいて説明する。
図１は、本発明のコンベヤ装置に係り、仕切板を左側位置（第一位置）にした状態を示す概要図。図２は、仕切板を中間位置（第二位置）にした状態を示す図１と同様図。図３は、仕切板を右側位置（第一位置）にした状態を示す図１と同様図である。
【００１１】
コンベヤ装置１は、ケーシング２、スプロケット３、チェーン４、フライト５、供給口６、排出口７、仕切板８とからその主要部が構成されている。
【００１２】
ケーシング２は、左右方向に長尺なもので、この例では、左右方向に所定の長さを有する長尺な箱状を呈している。
【００１３】
スプロケット３は、ケーシング２内に離間して設けられて前後軸廻りに正逆回転される前後のもので、この例では、左右一対のものが前後に二組設けられている。
各前後のスプロケット３は、図略しているが、ケーシング２の左右を前後方向に貫通して軸受に依り前後軸廻りに回転可能に設けられた回転軸に取付けられている。
而して、回転軸の少なくとも一方は、モータ等の回転駆動機（図示せず）に依り正逆回転される様になっている。
【００１４】
チェーン４は、両スプロケット３に掛渡されてケーシング２内を回送されるもので、この例では、二条のエンドレス状のものにしてあり、夫々前後にある左右一対のスプロケット３に掛渡されている。
【００１５】
フライト５は、チェーン４に所定間隔毎に付設されて搬送物Ａを水平方向に搬送する適数のもので、この例では、各々二条のチェン２の間に取付けられていると共に、下端がケーシング２の底板上や仕切板８上を摺動される様になっている。
【００１６】
供給口６は、ケーシング２の上部に設けられて搬送物Ａが供給される複数のもので、この例では、ケーシング２の前後端部を除いた箇所に二つ（左側Ｌ、右側Ｒ）設けられている。
【００１７】
排出口７は、ケーシング２の下部に供給口６と同数以上設けられて搬送物Ａが排出されるもので、この例では、ケーシング２の前後端部を含んだ箇所に三つ（左側Ｌ、中間Ｍ、右側Ｒ）設けられている。
【００１８】
仕切板８は、チェーン４の上側部分と下側部分の間でケーシング２の左右方向に移動可能に設けられて各供給口６から供給された搬送物を隣接する複数の排出口７のうちの任意の排出口７から排出させるもので、この例では、何れか一方の供給口６を遮って残りの供給口６と排出口７を開放する第一位置（左側位置Ｌと右側位置Ｒ）と、全ての供給口６と排出口７を開放する第二位置（中間位置Ｍ）とをとり得る様にしてある。
【００１９】
仕切板８の長さＬ１は、供給口６と排出口７を夫々等間隔に配置すると共に、排出口７の端面間距離をＬ２、供給口６の端面間距離をＬ３とすると、Ｌ１＝Ｌ２＜Ｌ３の関係にしてあり、図略しているが、左側位置Ｌと中間位置Ｍと右側位置Ｒでケーシング２の側面に固定できる様にしてある。
【００２０】
而して、仕切板８は、図略しているが、適宜の移動手段に依り移動される様になっている。移動手段としては、例えば焼却灰等の粉粒体を密閉して移動させる場合は、ケーシング２をステンレス等の非磁性体にすると共に、仕切板８を鉄製にしてケーシング２の外側から磁石を用いて移動される。又、ケーシング２の側面の長手方向にスリットを設けると共に、このスリットを介して仕切板８に取付けたハンドル等に依り直接動かす様にされる。前記磁石やハンドル等は、油圧シリンダ等のアクチュエータに依り自動で移動されたり、或は人力に依り手動で移動される。
【００２１】
次に、この様な構成に基づいてその作用を述解する。
図１は、スプロケット３が反時計方向に回転されてチェーン４の下側部分が右側方向Ｒへ移動されていると共に、仕切板８が左側位置Ｌにある場合を示している。
この場合、供給口６（左側Ｌ）から供給された搬送物Ａは、図１の実線で示す如く、仕切板８の上をフライト５に依って左側方向Ｌに移動されて排出口７（左側Ｌ）から排出されると共に、供給口６（右側Ｒ）から供給された搬送物Ａは、ケーシング２の底板の上をフライト５に依って右側方向Ｒに移動されて排出口７（右側Ｒ）から排出される。
この状態で、スプロケット３の回転方向が時計方向に逆転されてチェン４の下側部分が左側方向Ｌに移動されると、図１の鎖線で示す如く、両供給口６（左側Ｌと右側Ｒ）から供給された搬送物Ａは、全て排出口７（中間Ｍ）から排出される。
【００２２】
図２は、スプロケット３が反時計方向に回転されてチェーン４の下側部分が右側方向Ｒへ移動されていると共に、仕切板８が中間位置Ｍにある場合を示している。
この場合、供給口６（左側Ｌ）から供給された搬送物Ａは、図２の実線で示す如く、ケーシング２の底板の上をフライト５に依って右側方向Ｒに移動されて排出口７（中間Ｍ）から排出されると共に、供給口６（右側Ｒ）から供給された搬送物Ａは、ケーシング２の底板の上をフライト５に依って右側方向Ｒに移動されて排出口７（右側Ｒ）から排出される。
この状態で、スプロケット３の回転方向が時計方向に逆転されてチェン４の下側部分が左側方向Ｌに移動されると、図２の鎖線で示す如く、供給口６（左側Ｌ）から供給された搬送物Ａは、ケーシング２の底板の上をフライト５に依って左側方向Ｌに移動されて排出口８（左側Ｌ）から排出されると共に、供給口６（右側Ｒ）から供給された搬送物Ａは、ケーシング２の底板の上をフライト５に依って左側方向Ｌに移動されて排出口７（中間Ｍ）から排出される。
【００２３】
図３は、スプロケット３が反時計方向に回転されてチェーン４の下側部分が右側方向Ｒへ移動されていると共に、仕切板８が右側位置Ｒにある場合を示している。
この場合、供給口６（左側Ｌ）から供給された搬送物Ａは、図３の実線で示す如く、ケーシング２の底板の上をフライト５に依って右側方向Ｒに移動されて排出口７（中間Ｍ）から排出されると共に、供給口６（右側Ｒ）から供給された搬送物Ａは、仕切板８の上をフライト５に依って左側方向Ｌに移動されて排出口７（中間Ｍ）から排出される。
この状態で、スプロケット３の回転方向が時計方向に逆転されてチェン４の下側部分が左側方向Ｌに移動されると、図３の鎖線で示す如く、供給口６（左側Ｌ）から供給された搬送物Ａは、ケーシング２の底板の上をフライト５に依って左側方向Ｌに移動されて排出口８（左側Ｌ）から排出されると共に、供給口６（右側Ｒ）から供給された搬送物Ａは、仕切板８の上をフライト５に依って右側方向Ｒに移動されて排出口７（右側Ｒ）から排出される。
【００２４】
表１は、チェーン４の下側部分の移動方向と仕切板８の位置をパラメータにして供給される搬送物Ａの排出先の切換パターンを纏めたものである。
【００２５】
【表１】
2010083671.tif 000003
【００２６】
この様に、コンベヤ装置１は、スプロケット３を正逆回転させると共に、仕切板８を第一位置（左側位置、右側位置）と第二位置（中間位置）に切換移動させる事に依り、各供給口６から供給された搬送物Ａを異なる排出口７から別々に排出できると共に、両供給口６から供給された搬送物Ａを何れか一方の排出口７から一緒に排出できる。
【００２７】
尚、供給口６は、先の例では、二つであったが、これに限らず、例えば三つ以上でも良い。
排出口７は、先の例では、三つであったが、これに限らず、例えば二つや四つ以上でも良い。
仕切板８は、先の例では、一つであったが、これに限らず、例えば複数でも良い。
仕切板８の長さＬ１は、先の例では、Ｌ１＝Ｌ２＜Ｌ３の関係にしてあったが、これに限らず、例えば一方の供給口６とこの近傍の排出口７の端面間距離をＬ４とすると、Ｌ２≧Ｌ１≧Ｌ４の関係にしてあれば良い。
【図面の簡単な説明】
【００２８】
【図１】本発明のコンベヤ装置に係り、仕切板を左側位置（第一位置）にした状態を示す概要図。
【図２】仕切板を中間位置（第二位置）にした状態を示す図１と同様図。
【図３】仕切板を右側位置（第一位置）にした状態を示す図１と同様図。
【符号の説明】
【００２９】
１…コンベヤ装置、２…ケーシング、３…スプロケット、４…チェーン、５…フライト、６…供給口、７…排出口、８…仕切板、Ｌ…左側、Ｍ…中間、Ｒ…右側、Ａ…搬送物。
【図１】
2010083671.tif 000004
【図２】
2010083671.tif 000005
【図３】
2010083671.tif 000006